(57)【特許請求の範囲】
【請求項１】
少なくとも、カバーシート（１１）を上面に層着した保形上面シート（１２）を含む上面層（１Ａ）と、下面シート（１５）から成る底面層（１Ｃ）とを含む複数層（１Ａ，１Ｂ，１Ｃ）を備え、各層間は両端の起立片（１６）及び中間の起立片（１７）群で連結して、長手方向に空気流通可能に開口した空気層空間（Ｓ１，Ｓ２）を備え、各層（１Ａ，１Ｂ，１Ｃ）の上面が輻射熱反射層（Ｒｅ）を備え、且つ、保形上面シート（１２）が、遮熱材（１）を突っ張り状態で位置保持するための、保形性と折曲部（１２Ｓ）での復元性を有する折曲脚部（１２Ｌ，１２Ｒ）を両側に備えた、住宅用遮熱材。
【請求項２】
カバーシート（１１）が保形上面シート（１２）の折曲部（１２Ｓ）上面から両側に延出部（１１Ｌ，１１Ｒ）を備えた請求項１の住宅用遮熱材。
【請求項３】
複数層が中間シート（１４）から成る１層の中間層（１Ｂ）を備えた３層である、請求項１又は２の住宅用遮熱材。
【請求項４】
上面層（１Ａ）が、上面シート（１３）と、上面シート（１３）上に層着した保形上面シート（１２）と、保形上面シート（１２）上に層着したカバーシート（１１）とから成り、起立片（１６，１７）群を下面シート（１５）と上面シート（１３）とに倒伏自在に連結止着した、請求項１又は２又は３の住宅用遮熱材。
【請求項５】
上面シート（１３）の両端縁（１３Ｅ）が保形上面シート（１２）の折曲脚部（１２Ｌ，１２Ｒ）の折曲部（１２Ｓ）を規定した、請求項４の住宅用遮熱材。
【請求項６】
上面層（１Ａ）が、カバーシート（１１）と保形上面シート（１２）とから成り、起立片（１６，１７）群を下面シート（１５）と保形上面シート（１２）との間に倒伏自在に止着した、請求項１又は２又は３の住宅用遮熱材。
【請求項７】
下面シート（１５）が両側に延出部（１５Ｌ，１５Ｒ）を備えた請求項１乃至６のいずれか１項の住宅用遮熱材。
【請求項８】
保形上面シート（１２）が、両側の折曲部（１２Ｓ）間で上面層（１Ａ）の平坦面幅（Ｗ１）を規定し、折曲部（１２Ｓ）から下面シート（１５）までの高さ（ｈ１）に略同寸の折曲脚部（１２Ｌ，１２Ｒ）を備えた、請求項１乃至７のいずれか１項の住宅用遮熱材。
【請求項９】
両端部の起立片（１６）の外側面（１６Ｆ）、及び下面シート（１５）の下面が輻射熱反射層（Ｒｅ）を備え、且つ、中間層（１Ｂ）を構成する中間シート（１４）及び下面シート（１５）の全面に透湿用のピンホール（ｈｏ）を散在配置した、請求項１の住宅用遮熱材。
【請求項１０】
保形上面シート（１２）が段ボール紙であり、他のシート（１１，１３，１４，１５）及び起立片（１６，１７）がクラフト紙であり、且つ、輻射熱反射層（Ｒｅ）がアルミ箔貼着層である、請求項１乃至９のいずれか１項の住宅用遮熱材。
【発明の詳細な説明】
【０００１】
【発明の属する技術分野】
本発明は、住宅の断熱構造を改善するものであって、外部と建屋内間の熱伝達を遮断、抑制するための遮熱材に関するものであり、家屋建築の技術分野に属するものである。
【０００２】
【従来の技術】
〔非特許文献１〕  平成１４年６月１日、財団法人建築環境・省エネルギー機構発行、「住宅の省エネルギー基準の解説」第１９２〜１９３頁（６）屋根断熱の項
〔特許文献１〕  特許第３２５１０００号公報（特開２０００−３５５９８９号）
【０００３】
〔従来例１〕
非特許文献１に開示された技術は、図７に示すものであり、住宅の屋根断熱の典型例である。
即ち、小屋組の棟木、母屋、軒桁等に垂木を釘打ち固定し、合板等の屋根下張材を垂木に釘で固定しておき、図７（Ａ）の如く、垂木上部側面に通気下地材を釘打ち固定し、図７（Ｂ）の如く、通気下地材に透湿防水シートや合板等の防風層を釘で留めて、屋根下張材と防風層との隙間で通気層を形成する。
次に、図７（Ｃ）の如く、垂木間寸法に切断した断熱材を垂木間に室内側から嵌入してずり落ちないように釘で垂木に固定し、更に断熱材の下側から塩化ビニール等の防湿層をタッカー等で垂木に固定するものである。
【０００４】
〔従来例２〕
図８は、特許文献１に開示された遮熱材であり、本願出願人が特願２０００−２７１３３５号として出願し、平成１２年１２月２６日に、特開２０００−３５５９８９号として公開され、特許第３２５１０００号として特許されたものである。
即ち、図８に示す如く、該遮熱材は、それぞれ上面に輻射熱反射層を備えた各上面層、中間層及び下面層を各倒伏自在の起立片群で連結し、各層間に空気流通用の空気層空間を形成したものであり、小屋裏内部の断熱にあっては、図８（Ａ）の如く、天井仕上材に配置した断熱材上に載置し、遮熱材上面層の端縁を構造材等にタッカー又はテープで止着して遮熱材の起立状態を保持している。
【０００５】
また、屋根断熱にあっては、図８（Ｂ）に示す如く、遮熱材を垂木間に上方から嵌入して上面層の両側部を垂木上面にタッカー等で固定し、断熱材を遮熱材下面に当接して垂木に釘等で固定し、断熱材下面には防湿層をタッカー等で垂木に固定し、次いで、遮熱材上面に屋根下張材を配置して垂木に釘打ち固定し、屋根下張材上に防水層、及び屋根仕上材を布設するものである。
【０００６】
【発明が解決しようとする課題】
従来例１（図７）にあっては、屋根面からの高温加熱に対して排熱に有効な通気層が形成出来、垂木高さの選定によって所望厚の断熱材の付設も可能となるが、断熱材は屋根からの加熱によって大容量蓄熱体となり、夜間に外気温が低下しても、断熱材は依然として放熱し続けるため、室内環境を悪化し、冷却空調設備の長時間運転が必要となる。
【０００７】
また、従来例２（図８）にあっては、従来例１の断熱構造を改善したものであり、断熱材を遮熱材で被覆保護するため、断熱材の蓄熱量を大幅に抑制出来るが、遮熱材は自立性を欠くため、所定位置での保持には周囲の構造材への上面層の取付け施工が必要であり、図８（Ｂ）の如く、屋根断熱に適用するに際しては、垂木に遮熱材を取付けてから屋根下張材を張設する必要があり、遮熱材の付与は、室内側からの施工が不可能であって、屋根上からの複雑、困難、且つ危険な高所作業となる。
【０００８】
しかも、遮熱材の付設作業は、屋根下張材及び防水層張設の前の作業であるため、雨天下での作業は出来ず、遮熱材が布設中に雨に濡れれば、住宅の耐用中に、遮熱材１にはカビの発生や腐蝕等の問題を生ずる。
本発明は、これら従来例１，２の問題点を改善又は解決するものであり、断熱材の蓄熱が抑制出来、且つ布設が容易に施工出来る遮熱材の提供を可能とするものである。
【０００９】
【課題を解決するための手段、及び作用】
本発明は、例えば図１に示す如く、少なくとも、カバーシート１１を上面に層着した保形上面シート１２を含む上面層１Ａと、下面シート１５から成る底面層１Ｃとを含む複数層１Ａ，１Ｂ，１Ｃを備え、各層間は両端の起立片１６及び中間の起立片１７群で連結して、長手方向に空気流通可能に開口した空気層空間Ｓ１，Ｓ２を備え、各層１Ａ，１Ｂ，１Ｃの上面が輻射熱反射層Ｒｅを備え、且つ、保形上面シート１２が、遮熱材１を突っ張り状態で位置保持するための、保形性と折曲部１２Ｓでの復元性を有する折曲脚部１２Ｌ，１２Ｒを両側に備えた住宅用遮熱材である。
【００１０】
尚、複数層は、上面層１Ａと底面層１Ｃの２層形態でも、図１の如く、上面層１Ａ、中間層１Ｂ、底面層１Ｃの３層形態でも、或いは、複数の中間層を備えた４層以上でも良い。
また、各層１Ａ，１Ｂ，１Ｃ間に形成する空気層空間Ｓ１，Ｓ２は、空気の自然対流を生起させれば良く、１０〜２０mmの層間隔Ｓｈを付与すれば良い。
【００１１】
また、保形上面シート１２は、耐用中に、上面層１Ａの平坦を維持し、且つ、折曲部１２Ｓを介した両側の折曲脚部１２Ｌ，１２Ｒが、遮熱材の側方部材に当接して遮熱材の変形、倒伏を阻止するための強度、及び復元性を有するシートであれば良く、プラスチックシート、厚手のクラフト紙等でも良いが、典型的には３mm厚の段ボール（ｃｏｒｒｕｇａｔｅｄ  ｐａｐｅｒ）である。
また、カバーシート１１は、上面層１Ａに輻射熱反射機能を付与し、且つ、上面層１Ａと側方の垂木３等の木材との間に空隙を生じないようにカバーするものであり、典型的には下面シート１５と同一のクラフト紙である。
【００１２】
また、下面シート１５や、必要に応じて配置する中間層用シート、及び起立片１６，１７等は、耐用中に平坦形態の保持出来るシート材で構成出来、典型的にはクラフト紙である。
また、輻射熱反射層Ｒｅは、熱反射性に優れた金属蒸着膜、金属箔が好ましく、典型的にはアルミ箔貼着層である。
また、折曲脚部１２Ｌ，１２Ｒは、遮熱材１の耐用時に、遮熱材１が変形、倒伏しないように、側方の木材等に当接して突っ張り支持作用を奏すれば良く、その長さは必要に応じて選定すれば良い。
【００１３】
また、「復元性」は、折曲状態から平坦状態に戻ろうとする性質を意味し、復元性が有れば、図４の如く、折曲脚部１２Ｌ，１２Ｒが折曲部１２Ｓを起点とする復元応力Ｆ０を発揮する。
また、底面シート１５の幅は、図１の如く、延出部１５Ｌ，１５Ｒを設けても、図５の如く、上面層１Ａの折曲部１２Ｓ間の幅Ｗ２と同幅としても良い。
【００１４】
従って、本発明遮熱材１は、保形上面シート１２の両側に折曲部１２Ｓを介して配置した折曲脚部１２Ｌ，１２Ｒが、保形強度及び復元性を有するため、例えば図４（Ａ）の如く、屋根垂木３間に嵌入適用した場合は、保形強度を備えた折曲脚部１２Ｌ，１２Ｒが、両側の構造部材としての垂木３の側面３Ｆに、折曲部１２Ｓを起点とする復元力Ｆ０により突っ張り状に当接し、遮熱材１の変形や倒伏を阻止すると共に、上面層１Ａ、中間層１Ｂ、底面層１Ｃの輻射熱反射作用、及び各層間の空気層空間Ｓ１，Ｓ２での空気流通を完全に保証する。
【００１５】
そして、屋外側からの加熱で高温化する屋根下張材４や外壁下張材４０から遮熱材１上に負荷される熱は、上面層１Ａの表面のカバーシート１１での輻射熱反射作用で遮熱材内部への伝達が阻止され、上面層１Ａから内部に透過する少量の熱も中間層１Ｂ、及び／又は、底面層１Ｃでの輻射熱反射作用により、それぞれ空気層空間Ｓ０，Ｓ１，Ｓ２からの穏やかな空気流によって排熱され、上面層１Ａの上部（外部）の熱の底面層１Ｃの下方（内方）への伝達が阻止出来る。
【００１６】
従って、図４（Ａ）の如く適用された遮熱材１は、蓄熱機能の存在しない断熱構造を提供する。
しかも、上面層１Ａへの輻射熱反射層Ｒｅの付与は、カバーシート１１への付与となり、接着性に優れた可撓性のクラフト紙の表面に、アルミ箔層を貼着したプラスチックフィルムを層着するだけで実施出来るため、保形上面シート１２には、輻射熱反射層Ｒｅ付与の困難な材質の選択も可能となって材料選択の自由度が増し、遮熱材製作が合理化出来る。
【００１７】
また、図４（Ｂ）や図５の如く、遮熱材１を断熱材２の上面（外側面）に重設した場合は、遮熱材１は、断熱材２への室外側からの加熱負荷を大幅に軽減し、断熱材２が遮熱材１によって熱的に保護されるため、肉厚を薄く出来ることと相俟って、断熱材２の蓄熱量を大幅に低減出来る。
【００１８】
また、本発明遮熱材１にあっては、カバーシート１１が保形上面シート１２の折曲部１２Ｓ上面から両側に延出部１１Ｌ，１１Ｒを備えているのが好ましい。
この場合、保形上面シート１２は、折曲部１２Ｓによって折曲脚部１２Ｌ，１２Ｒを形成するため、カバーシート１１の保形上面シート１２との層着は、図１の如く、上面層１Ａの幅Ｗ１の平坦面での接着となり、カバーシート延出部１１Ｌ，１１Ｒは、折曲部１２Ｓからカバーシート１１自体の可撓性により変形可能となる。
【００１９】
従って、延出部１１Ｌ，１１Ｒの延出長さが、図４の如く、垂木側面３Ｆと折曲部１２Ｓとの間隔より大な場合は、可撓性によって傾斜屈曲して垂木側面３Ｆに当接し、図５（Ｂ）の如く、垂木側面３Ｆと折曲部１２Ｓとの間隔と略等しければ、屈曲せずに垂木側面３Ｆに当接する。
そして、表面に輻射熱反射層Ｒｅを有するカバーシート１１は、図４（Ａ）の屈曲状態であれ、図５（Ｂ）の直線状態であれ、垂木間隔Ｌ３の全面を閉止するため、高温度となる空気層空間Ｓ０内の空気の下方への流入を抑制すると共に、空気層空間Ｓ０の熱の遮熱材１内部への輻射熱伝達を阻止する。
【００２０】
従って、カバーシート延出部１１Ｌ，１１Ｒの延出長さは、延出部１１Ｌ，１１Ｒが折曲部１２Ｓ上で自在に屈曲可能であるため、また、延出部１１Ｌ，１１Ｒと垂木側面３Ｆ間に空隙が生じれば、高温空気の遮熱材側方（カバーシート下方）への流入を生ずるため、折曲部１２Ｓから木材（垂木）側面３Ｆまでの寸法と同等か大に設定すれば良く、また、左側延出部１１Ｌと右側延出部１１Ｒの延出長さは、等長でなくても良い。
【００２１】
また、遮熱材１は、複数層が中間シート１４から成る１層の中間層１Ｂを備えた３層であるのが好ましい。
尚、各層１Ａ，１Ｂ，１Ｃ間の層間隔Ｓｈは、１０mm以上とすれば、空気層空間Ｓ１，Ｓ２内での空気のスムーズな対流が得られ、空気層空間Ｓ１内の層間隔Ｓｈと空気層空間Ｓ２内の層間隔Ｓｈは同一寸法である必要はない。
この場合、１層の中間シート１４の存在により遮熱材１内に２層の空気層空間Ｓ１，Ｓ２が、空気の自然対流機能に必要な高さＳｈを保持し、且つ、遮熱材高さｈ１を低く抑えて形成出来る。
【００２２】
従って、機能上も、カバーシート１１から下方へ透過して遮熱材内に伝達された熱も中間シート１４及び下面シート１５の２段階の輻射熱反射層Ｒｅによって、各空気層空間Ｓ１，Ｓ２を介して排除出来る高性能遮熱材となると共に、遮熱材高さｈ１が比較的に低く構成出来るため、住宅断熱への適用の自由度が大となる。
しかも、介在した中間シート１４は、遮熱機能発揮上有利であるばかりでなく、中間シート１４が各起立片１６，１７の補強機能をも奏するため、高さｈ１の低い高性能遮熱材１が薄手の折曲容易な紙材（クラフト紙）での製作で可能となり、製造の作業性も向上する。
【００２３】
また、本発明遮熱材１にあっては、上面層１Ａが、上面シート１３と、上面シート１３上に層着した保形上面シート１２と、保形上面シート１２上に層着したカバーシート１１から成り、起立片１６，１７群を下面シート１５と上面シート１３とに倒伏自在に連結止着するのが好ましい。
尚、上面シート１３は、起立片１６，１７群を接着等で止着保持出来、且つ、保形上面シート１２の下面に接着等で層着出来れば良いので、上面シートの幅１３Ｗ（Ｗ２）は、両端部の起立片１６が止着出来、且つ、折曲脚部１２Ｌ，１２Ｒの折曲と干渉しない寸法であれば良い。
【００２４】
この場合は、遮熱材１は、図２に示す如く、薄手の上面シート１３と下面シート１５とを倒伏自在の起立片１６，１７群で連結した遮熱材本体１０を予め作成し、必要に応じて遮熱材本体１０の上面シート１３上に、薄手のカバーシート１１を接着した強度及び復元性を有する厚手の保形上面シート１２を層着したカバー体（被覆層）１０´を被冠接着することにより製作出来るため、また、遮熱材本体１０の作成時には、所望の中間シート１４を、図２、図３の如く、各起立片１６，１７間に折曲片１４´での起立片１６，１７への接着により配置出来、遮熱材本体１０の保管時には、起立片１６，１７を倒伏して積層形態と出来るため、遮熱材１の製作、保管が容易となる。
【００２５】
また、遮熱材１は、上面シート１３の両端縁１３Ｅが保形上面シート１２の折曲脚部１２Ｌ，１２Ｒの折曲部１２Ｓを規定しているのが好ましい。
この場合、保形上面シート１２の両側折曲部１２Ｓ間の平坦面幅Ｗ１は、上面シート１３の層着によって補強され、折曲部１２Ｓの折目付与も容易となるため、保形上面シート１２の材料選択の自由度が増す。
【００２６】
そして、図５に示す如く、下面シート１５の幅を上面シート１３の幅Ｗ２と同幅とすれば、遮熱材１の幅も、上面層幅Ｗ１＋折曲脚部１２Ｌ，１２Ｒの側方への傾斜突出幅Ｗ０となり、幅Ｗ０は遮熱材１の使用形態により決まるので、図５に示す如く、遮熱材１は、平坦面幅Ｗ１と同一、又はそれ以上の間隔寸法内には嵌入可能となり、下面シート１５の底面１５Ｂに断熱材２を接着して用いるのに有利であり、また、小屋裏内部等、断熱材上に遮熱材１を並列載置形態で用いるのにも有利である。
【００２７】
また、遮熱材１は、図６に示す如く、上面層１Ａが、カバーシート１１と保形上面シート１２とから成り、起立片１６，１７群を下面シート１５と保形上面シート１２との間に倒伏自在に止着するのが好ましい。
この場合、保形上面シート１２の材質を接着性及び保形強度面から適切に選択すれば、必要な曲げ強度、及び復元性を有する厚手の保形上面シート１２と、薄手の下面シート１５との、薄手の起立片１６，１７を介した接着製作が可能であり、上面シート１３を省略したために、構造が単純化し、遮熱材１のコスト低減が可能となる。
【００２８】
また、遮熱材１は、下面シート１５が両側に延出部１５Ｌ，１５Ｒを備えているのが好ましい。
この場合、延出部１５Ｌ，１５Ｒは、図４（Ａ）の如く、垂木３等の構造材への固定に利用して、断熱材２を使用しないで、遮熱材１のみで蓄熱しない断熱構造が形成出来るのみならず、図４（Ｂ）の如く、下面シート１５の底面１５Ｂに断熱材２を配置する際には、延出部１５Ｌ，１５Ｒを折曲して遮熱材１を垂木３間に押込み、延出部１５Ｌ，１５ＲをステープルＮ等で垂木側面３Ｆに固定し、グラスウール等の繊維断熱材や、発泡プラスチック等の固形断熱材２を遮熱材下面シート１５の底面に充填装着出来る。
勿論、発泡プラスチック等の固形断熱材２は、下面シート底面に接着一体化した後、断熱材２の押込みにより遮熱材１を垂木３間に嵌入することも可能となる。
従って、遮熱材１の利用範囲が広くなる。
【００２９】
また、遮熱材１は、保形上面シート１２が、両側の折曲部１２Ｓ間で上面層１Ａの平坦面幅Ｗ１を規定し、折曲部１２Ｓから下面シート１５までの高さｈ１に略同寸の折曲脚部１２Ｌ，１２Ｒを備えているのが好ましい。
この場合、折曲脚部１２Ｌ，１２Ｒは、遮熱材１の嵌入押込み時には、起立片１６，１７の補強材の機能を奏して遮熱材１の押込み作業が容易となり、起立片１６，１７の変形による遮熱材１の変形を最少限に抑制し、遮熱材１の取付け施工が容易となる。
【００３０】
また、本発明遮熱材１にあっては、両端部の起立片１６の外側面１６Ｆ、及び下面シート１５の下面が輻射熱反射層Ｒｅを備え、且つ、中間層１Ｂを構成する中間シート１４及び下面シート１５の全面に透湿用のピンホールｈｏを散在配置するのが好ましい。
【００３１】
この場合、ピンホールｈｏの形成は、アルミ箔等の輻射熱反射層Ｒｅを付与したシート材にニードリング処理すれば良い。
そして、遮熱材１は、透湿用ピンホールｈｏの存在により、遮熱材１内の空気層空間Ｓ１，Ｓ２は連通透湿性となり、遮熱材内部の結露やカビの発生が抑制出来て輻射熱反射層Ｒｅの耐用中の汚染が抑制出来、反射機能の耐久性が向上し、図４（Ｂ）の如く、遮熱材１を断熱材２と積層併用する場合は、断熱材２の吸湿による断熱機能低下も防止出来る。
【００３２】
また、端部起立片１６外面１６Ｆの反射層Ｒｅにより、図４（Ａ）の如く、カバーシート延出部１１Ｌ，１１Ｒから下方の空気層空間Ｓ４へ透過し、更に、折曲脚部１２Ｌ，１２Ｒと端部起立片１６間に形成される空気層空間Ｓ３内へ伝達した輻射熱も、空間Ｓ３内の通気によって好適に排熱出来る。
また、下面シート底面１５Ｂの輻射熱反射層Ｒｅは、冬季等、室内温度が室外温度より高い場合に、室内熱の外部への損失を抑制出来、室内の暖房エネルギー低減に有利である。
【００３３】
また、遮熱材１は、保形上面シート１２が段ボール紙であり、他のシート１１，１３，１４，１５及び起立片１６，１７がクラフト紙であり、且つ、輻射熱反射層Ｒｅがアルミ箔貼着層であるのが好ましい。
この場合、段ボールは、典型的には表裏クラフト紙を波型中芯に層着した３mm厚のものである。
そして、遮熱材１の各構成部材がクラフト紙であるため、相互接着性が良くて紙製の遮熱材１の接着製造が容易である。
また、アルミ箔貼着層は、平滑反射面を備え、高性能な輻射熱反射層Ｒｅの低コストでの提供を可能とする。
従って、入手容易な材料によって、汎用性のある高性能遮熱材１が低コストで提供出来る。
【００３４】
【発明の実施の形態】
〔遮熱材１の製作〕
〔例１．下面シート１５が延出部１５Ｌ，１５Ｒを有するタイプ（図１）〕
図２は、図１の３層形態遮熱材１の分解説明図であり、図１に示す遮熱材１は、上面シート１３、中間シート１４及び下面シート１５から成り、且つ、下面シート１５が両側に延出部１５Ｌ，１５Ｒを備えた３層形態の遮熱材本体１０を形成し、該本体１０の上面シート１３の上面に、保形上面シート１２とカバーシート１１とを層着一体化した被覆層（カバー体）１０´を載置接着したものである。
【００３５】
遮熱材本体１０の構成材料は、中間の起立片１７及び上面シート１３は、１６５g／m２のクラフト紙であり、下面シート１５は、１６５g／m２のクラフト紙の表裏両面に、６．３μmのアルミ箔を備えたポリエチレンフィルムを層着した紙の全面にニードリング処理によりピンホールｈｏを穿孔したものであり、中間シート１４は、７０．８g／m２のクラフト紙の片面に、６．３μmのアルミ箔を備えたポリエチレンフィルムを層着した紙の全面にニードリング処理によりピンホールｈｏを穿孔したものである。
【００３６】
また、両端の起立片１６は、１６５g／m２のクラフト紙の片面に６．３μmのアルミ箔を備えたポリエチレンフィルムを層着したものである。
そして、図２に示す如く、各起立片１６，１７は、両端の折曲片１６´，１７´（標準幅：１０mm）で上面シート１３及び下面シート１５に接着し、中間シート１４は、両側の折曲片１４´（標準幅：１０mm）により起立片１６，１７に接着し、各起立片１６，１７によって実効高さｈ２（標準：３５mm）の下に、各シート間に長手方向に貫通する空気層空間Ｓ１，Ｓ２を形成する。
【００３７】
カバー体（被覆層）１０´は、３mm厚の段ボール（表裏紙：１８０g／m２、中芯紙：１２０g／m２）の芯紙の山方向を幅方向とし、段ボールの表面に、カバーシート１１を層着したものであり、カバーシート１１は、１６５g／m２のクラフト紙の表面に、６．３μmのアルミ箔を備えたポリエチレンフィルムを層着したものである。
そして、カバーシート１１は、保形上面シート１２の両側の折曲部１２Ｓ間の幅Ｗ１に接着し、両側の延出部１１Ｌ，１１Ｒ（標準：１５mm）が保形上面シートの折曲脚部１２Ｌ，１２Ｒと非接着とする。
【００３８】
遮熱材１の寸法は、長さ方向（図２で紙面に垂直方向）寸法は、長尺物として製作しておき、使用時に適用位置に応じて適寸に裁断して用いる。
また、幅寸法は、適用位置に応じて決定するものであり、屋根断熱用の遮熱材１としては、図１に示す如く、垂木幅３Ｗが３８mmで、垂木高さ３Ｈが８９mm、垂木芯間寸法３Ｍが５００mmであれば、両側の垂木間隔Ｌ３が４６２mmとなるため、遮熱材上面層１Ａの幅Ｗ１の平坦面両側には、各垂木側面３Ｆとの間隔Ｇ１が７．５mm前後に形成出来るように、遮熱材１の上面層１Ａの平坦面幅Ｗ１を４２５mmに設定し、上面シート１３の幅Ｗ２は、両側縁１３Ｅが保形上面シート１２の折曲部１２Ｓでの直角折曲すら保証するように、Ｗ２を４２０mm前後に設定し、下面シート１５の幅Ｗ１５は、各延出部１５Ｌ，１５Ｒが各垂木底面３Ｂの略全幅に亘る長さ（標準：４３mm）とする。
【００３９】
遮熱材本体１０は、図２に示す如く、両端起立片１６及び中間起立片１７の上下端の幅１０mmの折曲片１６´，１７´への接着剤付与により上面シート１３及び下面シート１５と接着固定し、遮熱材本体１０の実効高さｈ２（標準：３５mm）を保持し、中間シート１４は、両端の幅１０mmの折曲片１４´への接着剤付与により各起立片１６，１７に接着一体化したものであり、且つ、各シート材（クラフト紙）が長尺物である場合は、ロール群装置（図示せず）により、各折曲片１４´，１６´，１７´の折曲→接着剤付与→押圧接着の工程の走行処理を経て、積層形態で製造する。
勿論、手作業でも可能である。
【００４０】
次いで、薄手のクラフト紙で製造した遮熱材本体１０の上面シート１３上に、カバーシート１１を厚手の段ボールの上面に層着した被覆層（カバー体）１０´を、段ボールの中芯紙の波状の山の方向を幅方向として載置し、折曲部１２Ｓ間の平坦面を上面シート１３上に全面接着する。
【００４１】
この場合、カバー体の保形上面シート１２は、平坦面幅Ｗ１の幅方向の両側で、折曲部１２Ｓから下面シート１５までの高さｈ１（標準：３８mm）に等しい長さの折曲脚部１２Ｌ，１２Ｒを備え、且つ、カバー体のカバーシート１１は、両側に遊離した延出部１１Ｌ，１１Ｒ（標準：１５mm）を備え、上面層１Ａの平坦面幅Ｗ１で保形上面シート１２と面接着した遮熱材１となる。
そして、カバーシート１１の延出部１１Ｌ，１１Ｒの延出長さは、側方の木材（垂木）側面との間に空隙を生じないようにカバー出来れば良い。
【００４２】
〔例２．下面シート１５と上面シート１３が同幅のタイプ（図５）〕
図５に示す如く、屋根垂木３間に嵌入する３層形態遮熱材１で、下面シート１５が上面シート１３と同幅のタイプは、例１（図１）のタイプの製造過程に於いて、下面シート１５として、例１の下面シート１５と同一紙で、幅方向寸法を上面シート１３の幅Ｗ２と同寸としたものを適用するものであり、例１（図１）の遮熱材１に対し、カバー体（被覆材）１０´が同一で、遮熱材本体１０の下面シート１５のみ短寸となったもの、即ち、例１の３層形態遮熱材１に於いて、下面シート１５の延出部１５Ｌ，１５Ｒの削除したものであり、例１の遮熱材１と同様の製作手段で作れる。
【００４３】
〔例３．上面層１Ａがカバー体１０´のみのタイプ（図６）〕
図６に示す３層形態遮熱材１は、図１（例１）の遮熱材１に於いて上面シート１３を除去した構成のものである。
製作に際しては、段ボールの保形上面シート１２と輻射熱反射層Ｒｅを表面に有するカバーシート１１とを層着してカバー体（被覆体）１０´を用意し、中間シート１４、下面シート１５及び起立片１６，１７を折曲→接着剤付与→押圧接着した後、折曲脚部１２Ｌ，１２Ｒを折曲してないカバー体１０´の平坦状態の保形上面シート（段ボール）１２下面に、起立片の上端の折曲片１６´，１７´を接着処理すれば良い。
【００４４】
〔遮熱材の使用〕
〔屋根への適用〕
〔例１の遮熱材の使用（図４）〕
例１の遮熱材（下面シート１５が延出部１５Ｌ，１５Ｒを有するタイプ）は、図４（Ａ）の如く、屋根下張材４及び防水層５を張設した垂木３間に、上面層１Ａの保形上面シート１２に折曲部１２Ｓの折目で折曲脚部１２Ｌ，１２Ｒを折曲形成した遮熱材１を、カバーシート１１の可撓性の延出部１１Ｌ，１１Ｒ及び折曲脚部１２Ｌ，１２Ｒを垂木側面３Ｆに当接形態で室内側から嵌入して、下面シート延出部１５Ｌ，１５Ｒが垂木底面３Ｂに当接するまで押込み、１本の垂木底面３Ｂに、両側の遮熱材１の各延出部１５Ｌ，１５Ｒを重ねる形態で当接固定すれば、遮熱材１のみによる屋根断熱構造が形成出来る。
【００４５】
この場合、折曲脚部１２Ｌ，１２Ｒの長さが折曲部１２Ｓから下面シート１５までの高さｈ１と略同一であるため、遮熱材１の嵌入配置は、折曲脚部１２Ｌ，１２Ｒが押込み応力を負担し、空気層空間Ｓ１，Ｓ２に作用上支障の無い状態で実施出来る。
尚、延出部１５Ｌ，１５Ｒの垂木底面３Ｂに当接する寸法は、垂木底面３Ｂの半幅以下としても取付け可能であるが、垂木底面３Ｂの幅３Ｗを被う寸法とすれば、垂木底面３Ｂへの積層形態での取付けとなり、取付け部が大きくなって取付けの手作業が容易となる。
【００４６】
そして、得られた屋根断熱構造（図４（Ａ））は、輻射熱反射層Ｒｅを備えたカバーシート１１の両側延出部１１Ｌ，１１Ｒが可撓性によって折曲されて、垂木側面３Ｆとの間隔Ｇ１を閉止し、遮熱材１の上方の空気層空間Ｓ０内の輻射熱を好適に反射排熱すると共に、空気層空間Ｓ０からカバーシート１１下方への若干の空気流入も、折曲脚部１２Ｌ，１２Ｒの垂木側面３Ｆへの復元力Ｆ０での確実な当接によって空気層空間Ｓ４内に閉じ込め、上面層１Ａ上の空気層空間Ｓ０の高温空気の空気層空間Ｓ３への流入を阻止する。
【００４７】
そして、各層の輻射熱反射層Ｒｅによって、屋根下張材下面の高温空気熱の下面シート１５下方（内方）への熱伝達を阻止する。
しかも、折曲脚部１２Ｌ，１２Ｒが十分な保形性及び復元性を有するため、耐用中の遮熱材１の変位や傾動は完全に阻止出来、耐用中は、蓄熱の生じない断熱構造として、設計値どおりの断熱機能を発揮する。
【００４８】
勿論、例１の遮熱材１に対しても、断熱材２の付設が可能であり、この場合は、図４（Ｂ）の如く、下面シート１５の延出部１５Ｌ，１５Ｒを折曲して遮熱材１を所定位置まで押込んだ後、折曲した延出部１５Ｌ，１５Ｒを釘、ステープルＮ等で垂木側面３Ｆに固定し、遮熱材底面１５Ｂ及び延出部１５Ｌ，１５Ｒで形成される空間内に固形の断熱材２、又は、グラスウール等の繊維断熱材２を充填して断熱材２のずり落ちを阻止し、必要に応じて、慣用の防湿層を断熱材底面２Ｂに布設すれば良い。
【００４９】
〔例２の遮熱材の使用（図５）〕
図５は、例２の遮熱材（下面シート１５と上面シート１３が同幅タイプ）に於いて、カバーシート１１の幅を垂木間隔Ｌ３と略同一としたものの使用例であり、屋根垂木３上に屋根下張材４を張設し、下張材４上に慣用の防水層５を布設して雨水の屋根下張材下方への浸入を防止し、屋根仕上材の施工後、又は屋根仕上材施工と同時並行して、遮熱材下面シート１５の底面１５Ｂに垂木３の間隔寸法Ｌ３で所定厚の断熱材２を接着剤Ａｄで一体化し、保形上面シート１２を、上面シート両端縁１３Ｅに符合して折曲脚部１２Ｌ，１２Ｒの折曲部１２Ｓに折目を付与した遮熱材１を室内側から垂木３間に押上げ嵌入する。
【００５０】
この場合、折曲脚部１２Ｌ，１２Ｒは、折曲部１２Ｓの折目での復元性により、先端１２Ｔが垂木側面３Ｆに当接して嵌入し、カバーシート１１が垂木間隔Ｌ３を閉止する。
そして、押込んだ遮熱材１は、折曲脚部１２Ｌ，１２Ｒが上面層１Ａの平端面幅Ｗ１と垂木間隔Ｌ３との寸法差Ｗ０によって傾斜形態となり、遮熱材１の押込み過程では、折曲脚部１２Ｌ，１２Ｒが折曲部１２Ｓから下面シート１５までの高さｈ１より若干低い高さｈ３であり、且つ、押込み応力を負担するため、押込み終了位置では、図５（Ａ）の如く、各起立片１６，１７は若干曲がりを生ずる。
【００５１】
しかし、図５（Ａ）の位置の断熱材２を若干引き下げて、断熱材底面２Ｂを垂木底面３Ｂと面一とすることにより、図５（Ｂ）の如く、各起立片１６，１７が適正に起立し、段ボールの保形性及び復元性を備えた各折曲脚部１２Ｌ，１２Ｒの先端１２Ｔが、垂木側面３Ｆに、矢印Ｆ０の復元力により突っ張り状に当接して遮熱材の上面層１Ａ、中間層１Ｂ、底面層１Ｃを、適正且つ、安定的に保持出来る。
勿論、カバーシート延出部１１Ｌ，１１Ｒも可撓性を有し、且つ垂木側面３Ｆまで延びているため、遮熱材１の上下位置に関係なく、垂木間隔Ｌ３を閉止する。
【００５２】
得られた屋根断熱構造（図５（Ｂ））にあっては、遮熱材上面層１Ａのカバーシート１１と屋根下張材４の底面４Ｂとの間には空気層空間Ｓ０が、上面層１Ａと中間層１Ｂとの間には空気層空間Ｓ１が、中間層１Ｂと底面層１Ｃとの間には空気層空間Ｓ２が、折曲脚部１２Ｌ，１２Ｒと外側起立片１６との間には空気層空間Ｓ３が、カバーシート延出部１１Ｌ，１１Ｒと折曲脚部１２Ｌ，１２Ｒとの間には空気層空間Ｓ４が、それぞれ安定確保出来、各層の輻射熱反射層Ｒｅによって各層間の輻射熱は各空間Ｓ０，Ｓ１，Ｓ２，Ｓ３，Ｓ４により排熱出来る。従って、屋根下張材４から伝達される高温負荷熱の下面シート１５の下方（内方）への伝達が抑制出来、下方の断熱材２の蓄熱量が大幅に低減出来る。
【００５３】
また、折曲脚部１２Ｌ，１２Ｒは、脚部先端１２Ｔが復元力Ｆ０によって垂木側面３Ｆに当接するため、高温になる空気層空間Ｓ０からカバーシート１１下方の空気層空間Ｓ４内へ入る熱は、折曲脚部１２Ｌ，１２Ｒによって空気層空間Ｓ４から起立片１６側面の空間Ｓ３内への流入が抑制され、遮熱材下方の断熱材２への熱負荷が抑制出来る。
【００５４】
そして、各空気層空間Ｓ０，Ｓ１，Ｓ２，Ｓ３，Ｓ４には外気の穏やかな流入を生ずるため、各層の輻射熱反射層Ｒｅによって各空気層空間内の空気が外方へ排熱出来、各層での下方への熱伝達が抑制出来る。
尚、下面シート１５の両側部では、断熱材２が両側部２Ｌ，２Ｒで若干露出して空気層空間Ｓ３内の空気と接触するが、空間Ｓ３内の空気は空間Ｓ０内の空気より低温であるため、断熱材２への熱的支障は許容出来る程度である。
【００５５】
〔外壁への適用〕
〔例３の遮熱材の使用（図６）〕
図６は外壁断熱に例３（上面層１Ａがカバー体１０´のみのタイプ）の遮熱材１を適用した例図である。
即ち、図６（Ａ）は、遮熱材１のみで外壁断熱構造を形成する図であって、上面にカバー体１０´を層着した保形上面シート１２の上面幅Ｗ１（図１）を、外壁の壁下張材４０を張設する各縦枠３０間の寸法Ｌ３０より若干（１０〜２０mm）小とした遮熱材１の保形上面シート１２には、予め折曲部１２Ｓで折曲脚部１２Ｌ，１２Ｒに折目を付け、縦枠間寸法をＬ３０より広幅としたカバーシート１１の延出部１１Ｌ，１１Ｒはそのままの状態で該遮熱材１を縦枠３０間に室内側から嵌入して、下面シート延出部１５Ｌ，１５Ｒが縦枠底面３０Ｂに当接するまで、カバーシート延出部の先端１１Ｔ及び折曲脚部の先端１２Ｔを縦枠側面３０Ｆに摺接しながら押込み、縦枠底面３０Ｂに下面シート延出部１５Ｌ，１５Ｒを当接して接着剤等で固定すれば良い。
【００５６】
遮熱材１は、カバーシート１１の延出部先端１１Ｔの縦枠側面３０Ｆへの折曲当接によって、壁下張材４０と上面層１Ａとの間に空気層空間Ｓ０を形成し、折曲脚部１２Ｌ，１２Ｒは、先端１２Ｔが縦枠３０側面に段ボールの折曲部１２Ｓでの復元力Ｆ０によって突っ張り状に当接し、カバーシート延出部１１Ｌ，１１Ｒ下面との間には空気層空間Ｓ４を、端部起立片１６との間には空気層空間Ｓ３を形成し、両側の折曲脚部１２Ｌ，１２Ｒによって、遮熱材１を適正姿勢に保持して各層間の空気層空間Ｓ１，Ｓ２を保持すると共に、空気層空間Ｓ０，Ｓ４と空気層空間Ｓ３との連通を阻止する構造となる。
【００５７】
また、図６（Ｂ）は、図６（Ａ）図と同一の遮熱材１を断熱材２と併用する例図であって、例３の遮熱材１を用い、下面シート１５に断熱材２を接着固定して縦枠３０間に嵌入使用する態様図である。
断熱材２は縦枠間隔Ｌ３０に符合した幅寸法であり、保形上面シート１２の折曲脚部１２Ｌ，１２Ｒを予め折曲部１２Ｓでの折目によって折曲しておき、下面シート１５の延出部１５Ｌ，１５Ｒも断熱材２側面に折り曲げておく。
【００５８】
そして、遮熱材１を、上面層１Ａを外面にして縦枠３０間に嵌入押込むことにより、カバーシート延出部１１Ｌ，１１Ｒは曲げられて、先端１１Ｔが縦枠側面３０Ｆに摺接しながら、また、接曲延出部１５Ｌ，１５Ｒも縦枠側面３０Ｆに摺接しながら嵌入し、遮熱材１の固定位置では、保形上面シート折曲脚部１２Ｌ，１２Ｒの先端１２Ｔが縦枠側面３０Ｆに突っ張って遮熱材１を適正位置に保持して、上面層１Ａと壁下張材４０間には小間隔の空気層空間Ｓ０を、カバー延長部１１Ｌ，１１Ｒと接曲脚部１２Ｌ，１２Ｒとの間には空気層空間Ｓ４を、折曲脚部１２Ｌ，１２Ｒと端部起立片１６との間には空気層空間Ｓ３を形成し、遮熱材１は、適正姿勢に保持出来て、各層間の空気層空間Ｓ１，Ｓ２も保持出来る。
【００５９】
この場合、小間隔の空気層空間Ｓ０は空気流抵抗を生ずるが、該空間Ｓ０内の空気が高温となるため若干の対流を発生し、カバーシート１１が遮熱材１を熱的に保護していること、遮熱材１が中間層１Ｂ及び底面層１Ｃでも輻射熱伝達を阻止することにより、遮熱材１は、断熱材２に対する室外側からの熱負荷抑制の効果を奏し、断熱材２の蓄熱量を大幅に低減する。
勿論、例１（図１）の遮熱材１も、例３（図６）の遮熱材１と同様に、外壁断熱への適用が可能である。
【００６０】
〔効果〕
本発明の実施の態様の各遮熱材１にあっては、構成シート材が全て紙シートであって、折目付与性、接着性が良好であるため、製作上手間のかかる中間シート１４の起立片１６，１７への取付けを始め、起立片１６，１７の下面シート１５への取付け、カバーシート１１の保形上面シート１２との層着、及び上面シート１３と保形上面シート１２との取付け、等がローラー群装置による走行工程によって、シート材処理として正確に、且つ、容易に実施出来る。
しかも、起立片１６，１７は接曲片１６´，１７´で接着固定であるため、遮熱材１は起立片１６，１７の倒伏形態（積層形態）での保管が可能であり、製品の保管及び搬送が容易である。
【００６１】
遮熱材１は、構成シート材が全て紙であるため軽量であり、施工使用に際しては、嵩の低い積層形態物を必要長さに裁断し、平坦状態の保形上面シート１２の両側に折曲部１２Ｓの折目を付与し、且つ、起立片１６，１７を起立するだけで使用可能となるため、施工現場への搬入、使用準備、及び取付け施工が容易である。
【００６２】
遮熱材１は、屋根垂木３間に適用する屋根断熱施工では、屋根下張材を張設した後の施工であり、壁縦枠３０間に適用する外壁断熱施工では、壁下張材張設後の施工であるため、遮熱材単体使用の場合も、断熱材併用使用の場合も、室内側からの施工となり、遮熱材は雨天でも取付け施工が出来、断熱施工の期間も短縮出来る。
しかも、屋根断熱施工は、室内側での脚立を用いた施工となるため、従来の図７や図８（Ｂ）の如き、屋根上からの危険な高所作業ではなく、断熱施工作業が安全となり、作業性も良い。
【００６３】
遮熱材１は軽量物であり、折曲脚部１２Ｌ，１２Ｒは、保形性の大な段ボールに折曲部１２Ｓで折目を付け、折目での復元性によって側方への突っ張り力を発現して保持出来るため、垂木３間や、壁縦枠３０間に嵌入するだけで遮熱材１の位置の仮保持が出来、遮熱材１の取付け作業が容易である。
【００６４】
遮熱材１は、各空気層空間Ｓ０，Ｓ１，Ｓ２，Ｓ３，Ｓ４全てを空気流通可能に配置するものであり、上面層１Ａのカバーシート１１上の輻射熱反射層Ｒｅが外部からの輻射熱を反射して空気層空間Ｓ０で排熱し、中間層１Ｂ及び底面層１Ｃでも空気層空間Ｓ１，Ｓ２で透過輻射熱を反射放出し、両端部の起立片１６と折曲脚部１２Ｌ，１２Ｒ間の空気層空間Ｓ３でも、起立片１６外面の輻射熱反射層Ｒｅにより輻射熱を反射放出するため、熱の室外側から室内側への伝達を多段的に確実に抑制する。
【００６５】
尚、上面層１Ａ、中間層１Ｂ、底面層１Ｃが共に表面に輻射熱反射層Ｒｅを備えた例１（図１）の遮熱材（３層形態、且つｈ１が４０mm）単体の熱貫流抵抗、熱貫流率、熱抵抗を、財団法人建材試験センター中央試験所で測定したところ、遮熱材１と同厚のグラスウールマットと略同等の熱貫流抵抗（０．９２m２・k／w）の発揮を確認した。
即ち、遮熱材１は、日射の無い条件でも、グラスウールマット同等の断熱機能を発揮する。
【００６６】
遮熱材１は、下面シート１５が上下両面に輻射熱反射層Ｒｅを備えているため、夏季等の室外温度が室内温度より高い場合には、下面シート表面が輻射熱を反射して空気層空間Ｓ２より排熱して室内への熱負荷を軽減する。
また、冬季等の室内温度を暖房により外気温度より高く維持する場合には、下面シート１５の下面が輻射熱を反射して室内熱の外部への透過放出が抑制出来、室内暖房の省エネルギー効果がある。
【００６７】
また、遮熱材１は、中間シート１４及び下面シート１５が多数のピンホールｈｏを有するため、透湿性となって遮熱材内部での結露が防止出来て輻射熱反射層Ｒｅの結露、カビ発生による汚染が抑制出来、遮熱機能の耐久性が向上し、断熱材２を付設使用する場合は、断熱材の吸湿による断熱機能低下も抑制する。
【００６８】
〔その他〕
例１の遮熱材（下面シート１５が延出部１５Ｌ，１５Ｒを有するタイプ）は、例２（図５）のタイプの遮熱材同様に、下面シート１５の底面に、適寸に用意した発泡プラスチック等の固形断熱材２を予め接着固定しておき、下面シート１５の延出部１５Ｌ，１５Ｒを断熱材２の側面に折曲当接した形態で垂木間、壁縦枠間等の木材間に嵌入、押込んで断熱材２を両側の木材に釘で止着しても良い。
この場合も、例２の遮熱材の使用時同様に、遮熱材１が蓄熱性の無い断熱体として断熱材２の断熱機能を高め、且つ、断熱材２は遮熱材１の熱的保護により、蓄熱量を大幅に低減する。
【００６９】
また、遮熱材１の嵌入施工は、鉄骨造の薄板軽量型鋼等形鋼内にも適用出来、下面シート１５の鋼材への取付けは、両面粘着テープや、ドリリングタッピングネジ等で可能である。
また、保形上面シート１２としては、折曲部１２Ｓの折目で必要復元応力Ｆ０さえ発揮出来れば、秤量の大な厚紙でも、プラスチックシートでも良く、プラスチックシートの場合は、カバーシート１１と共にピンホールを穿孔して透湿性とするのが好ましい。
【００７０】
また、実施態様例２（図５）の遮熱材１は、従来例８（Ａ）図に示す如き天井断熱にも適用出来る。
即ち、天井仕上材上に敷設した断熱材屋上に、遮熱材１の側面相互が、接曲脚部１２Ｌ，１２Ｒ相互の先端１２Ｔが復元力Ｆ０で突っ張り合い、カバーシート延出部１１Ｌ，１１Ｒ相互が屈曲当接して上面の空気層空間を閉止する形態に遮熱材１を並列配置し、長手方向末端に通気用の小口を形成すれば良い。
この場合でも、並列遮熱材１相互は、折曲脚部１２Ｌ，１２Ｒ相互によって位置保持出来、カバーシート１１相互が隙間なく断熱材層全面を輻射熱反射層Ｒｅでカバーする。
【００７１】
【発明の効果】
本発明遮熱材１は、適用装着する垂木、縦枠等の木材間に上面層１Ａ側から嵌入出来るため、室内側からの脚立等による安全、且つ、容易な施工となる。
従って、屋根下張材４や壁下張材４０の施工後の雨に濡れない状態での施工となり、雨天での作業も可能となって工期が短縮化出来ると共に、雨に濡れない状態で取付けた遮熱材１は、耐用中のカビや吸水腐蝕の生じない耐久性のある断熱構造を提供する。
【００７２】
しかも、復元性を有する折曲脚部１２Ｌ，１２Ｒによる垂木３等の木材側面への突っ張り状態での位置保持となるため、遮熱材１の木材間への嵌入状態で遮熱材１が仮固定状態となって、遮熱材１の垂木３等の木材への取付け作業が容易となり、遮熱材１は、取付け施工後の耐用中も、折曲脚部１２Ｌ，１２Ｒによって適正姿勢で適正位置に保持出来、設計値どおりの遮熱機能を発揮する。
【００７３】
また、遮熱材１のみの取付けで得られる断熱構造は、取付け作業が容易であって蓄熱の生じない断熱構造を提供し、断熱材２を被覆保護するように遮熱材１を取付けた断熱構造は、断熱材２の肉厚が薄く出来、しかも、遮熱材１が断熱材２への加熱負荷を軽減抑制するため、断熱材２の蓄熱量が大幅に抑制出来る。
【００７４】
更に、屋根垂木や壁縦枠等の木材間に遮熱材１を適用すれば、輻射熱反射層Ｒｅを表面（外面）に有するカバーシート１１が可撓性を有する延出部１１Ｌ，１１Ｒによって木材間を密封カバーし、保形性を有する折曲脚部１２Ｌ，１２Ｒが木材側面３Ｆ（３０Ｆ）に復元力Ｆ０で当接して遮熱材１を適正位置に保持するため、カバーシート延出部１１Ｌ，１１Ｒ、及び折曲脚部１２Ｌ，１２Ｒが上面層１Ａ上の高温空気の遮熱材側面（空気層空間Ｓ３）への侵入を阻止し、遮熱材各層１Ａ，１Ｂ，１Ｃの上面、及び起立片１６の外側面が輻射熱反射層Ｒｅを有することと相俟って、遮熱材１は、室外側の熱の室内側への伝達を好適に抑制出来る。
【００７５】
また、遮熱材１の中間シート１４及び下面シート１５にピンホールｈｏを散在配置することにより、遮熱材内部での結露が防止出来、結露やカビの発生による輻射熱反射層Ｒｅの汚染が防止出来て、遮熱材の輻射熱反射機能低下が抑制出来る。
そして、該遮熱材１を断熱材２と併用する際には、断熱材２の吸湿による断熱機能低下も抑制出来る。
【００７６】
更に、遮熱材１の下面シート１５の両面に輻射熱反射層Ｒｅを設けることによって、遮熱材１は、夏季の室外側からの高温熱の室内側への伝達を抑制して、室内の冷房エネルギーの低減を果すのみならず、冬季では、室内暖房の熱の遮熱材から室外への伝達損失を抑制して、室内の暖房エネルギーの低減化をも果し、省エネルギー住宅の提供を可能とする。
【００７７】
また、遮熱材の下面シート１５には、両側に固定代としての延出部１５Ｌ，１５Ｒを形成しておくことにより、遮熱材１を木材（垂木、縦枠）間に嵌入して延出部で木材底面に固定するだけで、遮熱材１のみでの断熱構造の形成が可能となると共に、延出部１５Ｌ，１５Ｒを断熱材２側面に折曲して遮熱材１と共に木材間に嵌入することにより、断熱材２を遮熱材１で被覆保護した断熱構造も形成出来、住宅の適所への適切な断熱構造付与が可能となり、住宅への合理的な断熱構造の提供を可能とする。
【図面の簡単な説明】
【図１】本発明実施態様例１の遮熱材の正面図である。
【図２】本発明実施態様例１の遮熱材の分解説明図である。
【図３】本発明実施態様例１の遮熱材の説明正面図であって、（Ａ）は積層形態からの引き起こし状態を、（Ｂ）は起立片の起立状態を示す図である。
【図４】本発明実施態様例１の遮熱材の使用状態図であって、（Ａ）は図１の遮熱材のみを取付けた状態を、（Ｂ）は断熱材と併用した状態を示す正面図である。
【図５】本発明実施態様例２の遮熱材の使用説明図であって、（Ａ）は押込んだ状態を、（Ｂ）は取付け完了状態を示す図である。
【図６】本発明の実施態様例３の遮熱材の説明正面図であって、（Ａ）は遮熱材のみの断熱構造を、（Ｂ）は遮熱材に断熱材を付設した状態を示す図である。
【図７】従来例１の説明正面図であって、（Ａ）は通気下地材取付け状態を、（Ｂ）は通気層形成状態を、（Ｃ）は断熱構造形成状態を示す図である。
【図８】従来例２の説明斜視図であって、（Ａ）は天井仕上材上の断熱構造を、（Ｂ）は屋根断熱を示す図である。
【符合の説明】
１：遮熱材、                        １Ａ、上面層、
１Ｂ：中間層、                      １Ｃ、底面層、
２：断熱材、
２Ｂ，３Ｂ，４Ｂ，１５Ｂ，３０Ｂ：底面、
３：垂木、                          ３Ｆ，３０Ｆ：側面、
４：屋根下張材、                    ５：防水層、
１０：遮熱材本体、                  １０´：カバー体（被覆層）、
１１：カバーシート、                １１Ｔ：延出部先端（先端）、
１１Ｌ，１１Ｒ：１５Ｌ，１５Ｒ：延出部、
１２：保形上面シート、              １２Ｌ，１２Ｒ：折曲脚部、
１２Ｓ：折曲部（折目）、              １２Ｔ：脚部先端（先端）、
１３：上面シート、                  １３Ｅ：端縁、
１４：中間シート、                  １４´，１６´，１７´：折曲片、
１５：下面シート、                  １６，１７：起立片、
３０：縦枠、                        ４０：壁下張材、
Ｆ０：復元応力（復元力）、            ｈ１：遮熱材高さ、
Ｎ：釘（ステープル）、                Ｏ：小口開口（通気開口）、
Ｒｅ：輻射熱反射層（アルミ箔層）、    Ｓｈ：層間隔、
Ｓ０，Ｓ１，Ｓ２，Ｓ３，Ｓ４：空気層空間
【図１】
0003717172.tif 000002
【図２】
0003717172.tif 000003
【図３】
0003717172.tif 000004
【図４】
0003717172.tif 000005
【図５】
0003717172.tif 000006
【図６】
0003717172.tif 000007
【図７】
0003717172.tif 000008
【図８】
0003717172.tif 000009